(57)【要約】【課題】コネクタ部分の浮きや接合状態の異常を検出可能な携帯電子機器を提供することである。【解決手段】第２回路基板１０２上に実装された信号線１０５は、第７端子１０４ａと第８端子１０４ｂを接続し、第５端子１０３ａは、接地電圧部１２０に接続されており、コネクタ接続異常検出部５９は第６端子１０３ｂに接続されて、第６端子１０３ｂに加えられている電圧を検出してコネクタ接続状態を監視する。【選択図】図４
2011071939.tif 000002
【特許請求の範囲】
【請求項１】
第１の端子及び第２の端子を含む第１のヘッダコネクタと、
第３の端子及び第４の端子を含む第２のヘッダコネクタと、
前記第１のヘッダコネクタの第１の端子と前記第２のヘッダコネクタの第３の端子とを接続し、前記第１のヘッダコネクタの第２の端子と前記第２のヘッダコネクタの第４の端子とを接続するフレキシブルプリント基板と、
第１の回路基板上に実装され、前記第１のヘッダコネクタと接続される第１のソケットコネクタと、
第２の回路基板上に実装され、前記第２のヘッダコネクタと接続される第２のソケットコネクタと、
コネクタ異常検出部と、を有し、
前記第１のソケットコネクタは、前記第１のヘッダコネクタと接続した場合に、前記第１の端子と接合する第５の端子、及び、前記第２の端子と接合する第６の端子を有し、
前記第２のソケットコネクタは、前記第２のヘッダコネクタと接続した場合に、前記第３の端子と接合する第７の端子、及び、前記第４の端子と接合する第８の端子を有し、
前記第２の回路基板上に実装された信号線は、前記第７の端子と前記第８の端子を接続し、
前記第５の端子は、接地電圧部に接続されており、
前記異常検出部は前記第６の端子に接続されて、前記第６の端子に加えられている電圧を検出してコネクタ接続状態を監視する
携帯電子機器。
【請求項２】
前記第５端子と前記第６の端子との位置、及び、前記第７の端子と前記第８の端子の位置は、最も遠い位置関係となるように形成されている
請求項１に記載の携帯電子機器。
【請求項３】
前記コネクタ異常検出部は、汎用入出力装置によって構成されている
請求項１又は２に記載の携帯電子機器。
【請求項４】
前記第６の端子には、抵抗を介して電源電圧部が接続されている
請求項１〜３いずれか１項に記載の携帯電子機器。
【請求項５】
前記信号線は、抵抗を介して接地電圧部と接続されている
請求項１〜４いずれか１項に記載の携帯電子機器。
【発明の詳細な説明】
【技術分野】
【０００１】
本発明は携帯電話機、ＰＤＡ、携帯型ゲーム機、携帯用テレビ、携帯用ラジオ等の携帯電子機器に関する。
【背景技術】
【０００２】
特許文献１には、プルアップしている片側をＧＮＤレベルにすることによって、接続部材であるケーブルの断線検出することが可能な電子機器が開示されている。
【先行技術文献】
【特許文献】
【０００３】
【特許文献１】特開２００７―２８１５７５号公報
【発明の概要】
【発明が解決しようとする課題】
【０００４】
しかしながら、特許文献１に記載の方法においては、コネクタ部分の浮きや接合状態の異常を検出することが困難であるという不利益がある。
【０００５】
本発明の目的は、コネクタ部分の浮きや接合状態の異常を検出可能な携帯電子機器を提供することである。
【課題を解決するための手段】
【０００６】
本発明の（第１の観点）の携帯電子機器は、第１の端子及び第２の端子を含む第１のヘッダコネクタと、第３の端子及び第４の端子を含む第２のヘッダコネクタと、前記第１のヘッダコネクタの第１の端子と前記第２のヘッダコネクタの第３の端子とを接続し、前記第１のヘッダコネクタの第２の端子と前記第２のヘッダコネクタの第４の端子とを接続するフレキシブルプリント基板と、第１の回路基板上に実装され、前記第１のヘッダコネクタと接続される第１のソケットコネクタと、第２の回路基板上に実装され、前記第２のヘッダコネクタと接続される第２のソケットコネクタと、コネクタ異常検出部と、を有し、前記第１のソケットコネクタは、前記第１のヘッダコネクタと接続した場合に、第１の端子と接合する第５の端子、及び、第２の端子と接合する第６の端子を有し、前記第２のソケットコネクタは、前記第２のヘッダコネクタと接続した場合に、第３の端子と接合する第７の端子、及び、第４の端子と接合する第８の端子を有し、前記第２の回路基板上に実装された信号線は、前記第７の端子と前記第８の端子を接続し、前記第５の端子は、接地電圧部に接続されており、前記異常検出部は前記第６の端子に接続されて、前記第６の端子に加えられている電圧を検出してコネクタ接続状態を監視する。
【０００７】
好適には、前記第５端子と前記第６の端子との位置、及び、前記第７の端子と前記第８の端子の位置は、最も遠い位置関係となるように形成されている。
【０００８】
好適には、前記コネクタ異常検出部は、汎用入出力装置によって構成されている。
【０００９】
好適には、前記第２の端子には、抵抗を介して電源電圧部が接続されている。
【００１０】
好適には、前記信号線は、抵抗を介して接地電圧部と接続されている。
【発明の効果】
【００１１】
本発明によると、コネクタ部分の浮きや接合状態の異常を検出可能な携帯電子機器を提供することができる。
【図面の簡単な説明】
【００１２】
【図１】本発明の実施形態に係る携帯電話機の外観を示す斜視図である。
【図２】図１の携帯電話機の信号処理系を示すブロック図である。
【図３】携帯電話機の内部に設置されている複数の回路基板を接続する状態の説明図である。
【図４】図３における、接続部材によって、第１回路基板と第２回路基板とが電気的に接続されている状況をより詳細に説明する図である。
【図５】第１の変形例の説明図である。
【図６】第２の変形例の説明図である。
【図７】第３の変形例の説明図である。
【発明を実施するための形態】
【００１３】
図１は、本発明の実施形態に係る携帯電話機１の外観を示す斜視図である。
【００１４】
携帯電話機１は、折り畳み式として構成されている。
携帯電話機１は第１筐体及び第２筐体とで構成されている。
第１筐体２は、第２筐体３と対向する部分を構成する第１筐体フロントケース４と、第２筐体３とは反対側部分を構成する第１筐体リアケース５とを有している。
第２筐体３は、第１筐体２と対向する部分を構成する第２筐体フロントケース６と、第１筐体２とは反対側部分を構成する第２筐体リアケース７とを有している。
【００１５】
第１筐体フロントケース４及び第１筐体リアケース５はネジ等により互いに固定され、第１筐体フロントケース４及び第１筐体リアケース５の間に形成された空間に種々の電子部材を収容する収容空間を構成する。
第２筐体フロントケース６及び第２筐体リアケース７もネジ等により互いに固定され、第２筐体フロントケース６及び第２筐体リアケース７の間に形成された空間に種々の電子部材を収容する収容空間を構成する。
これらの第１筐体フロントケース４、第１筐体リアケース５、第２筐体フロントケース６及び第２筐体リアケース７は、例えば、樹脂により形成されている。
【００１６】
図１のように、第１筐体フロントケース４には表示部８が配置されている。
この表示部８は、携帯電話機１の状態、ユーザの操作内容、発信先電話番号、電子メールの内容の表示、ゲーム画面等の様々な情報を表示するためのものである。
また、表示部８はＬＣＤ（液晶ディスプレイ）、ＯＬＥＤ（Organic light-emitting diode：有機ＥＬ）等によって構成されている。
【００１７】
また、図１のように、第２筐体フロントケース６の表面方向には、入力部１０が配置されている。この入力部１０をユーザが操作することによって、携帯電話機１に命令の入力、文字の入力等がなされる。
【００１８】
図２は、図１の携帯電話機１の信号処理系を示すブロック図である。
【００１９】
図２に示されるように、携帯電話機１は、制御・処理の中枢である制御部５７と、電源制御部５０と、通信部５１と、操作部５２と、音声入出力部５３と、表示部８と、、記憶部５６のそれぞれが、アドレス、データ、コントロールのためのラインが複数本からなるシステムバス５８に共通に接続され、構成される。
【００２０】
電源制御部５０は、携帯電話機１が携帯して使用されている場合には、携帯電話機１内の、表示部８及び制御部５７等が実装される回路基板等への電力の供給を制御している。
また、充電時には充電回路を制御して、バッテリへの充電開始及び停止、並びに充電の速度等を制御している。
【００２１】
通信部５１は、無線通信システムを捕捉し、通信ネットワークに接続される基地局３００との間で無線通信を行い、各種データの送受信を行う。各種データとは、Ｗｅｂ上のダウンロードサイトからダウンロードされるファイルのデータ、音声通話時の音声データ、メール送受信時のメールデータ、ウェブ閲覧時のウェブページデータ、等である。
【００２２】
操作部５２は、入力部１０及びその他の部分から入力されるユーザの指示を受け付ける。
入力部１０には、例えば、電源キー、通話キー、数字キー、文字キー、方向キー、決定キー、発信キー、ファンクションキーなど、各種の機能が割り当てられたキーが配置されている。
そして、これらのキーがユーザによって操作された場合に、その操作内容に対応する信号を発生し、これをユーザの指示として制御部５７に出力する。
【００２３】
音声入出力部５３は、スピーカから出力される音声信号やマイクロフォンにおいて入力される音声信号の入出力処理を行う。
すなわち、音声入出力部５３は、マイクロフォンから入力された音声を増幅し、アナログ／デジタル変換を行い、更に符号化等の信号処理を施し、デジタルの音声データに変換して制御部５７に出力する。
また、音声入出力部５３は、制御部５７から供給される音声データに復号化、デジタル／アナログ変換、増幅等の信号処理を施し、アナログの音声信号に変換してスピーカに出力する。
【００２４】
表示部８は、例えばＬＣＤやＯＬＥＤ（Organic light-emitting diode（有機ＥＬ））を用いて構成されており、制御部５７から供給される映像信号に応じた画像を表示する。
表示部８は、例えば、通信部５１による無線発信時における発信先の電話番号、着信時における発信元の電話番号、受信メールや送信メールの内容、日付、時刻、電池残量、発信成否、待ち受け画面等を表示する。
【００２５】
記憶部５６では、携帯電話機１の各種処理に利用される各種データを記憶する。記憶部５６は、例えば制御部５７が実行するコンピュータのプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータが記憶される。
また、記憶部５６ではダウンロードが完了したファイルも記憶する。
【００２６】
なお、記憶部５６は、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００２７】
コネクタ接続異常検出部５９は、コネクタの接続不良を検出する。具体的には後述するが、コネクタ接続異常検出部５９は電圧を検出してその値によってコネクタの接続不良等を検出する。
【００２８】
制御部５７は、携帯電話機１の全体的な動作を統括的に制御する。
すなわち、制御部５７は、携帯電話機１の各種処理（回線交換網を介して行われる音声通話、電子メールの作成と送受信、インターネットのＷｅｂ上のダウンロードサイトの閲覧など）が操作部５２の操作に応じて適切な手順で実行されるように、上述した各ブロックの動作（通信部５１における信号の送受信、表示部８における画像の表示、等）を制御する。
さらに、制御部５７は、記憶部５６に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。
すなわち、制御部５７は、記憶部５６に格納されるオペレーティングシステムやアプリケーションプログラム等のプログラムから命令コードを順次受け取って処理を実行する。
【００２９】
本実施形態においては、特に、制御部５７はコネクタ接続異常検出部５９からの情報信号に基づいてコネクタの接続不良等の有無を判断し、必要があればユーザ等にその旨を知らせる各種の動作を行う。
【００３０】
図３は、携帯電話機１の内部に設置されている複数の回路基板を接続する状態の説明図である。
【００３１】
図３のように、接続部材１１１によって、第１回路基板１０１と第２回路基板１０２とが電気的に接続されている。
つまり、接続部材１１１によって第１回路基板１０１と第２回路基板１０２は情報信号をやり取りすることができる。
第１回路基板１０１には、第１回路基板側ソケットコネクタ１０３が形成されている。また、第２回路基板１０２には、第２回路基板側ソケットコネクタ１０４が形成されている。
第１回路基板側ソケットコネクタ１０３は、第１回路基板１０１上に実装されている各種電子部品と電気的に接続している。
同様に、第２回路基板側ソケットコネクタ１０４は、第２回路基板１０２上に実装されている各種電子部品と接続している。
【００３２】
第１回路基板側ソケットコネクタ１０３及び第２回路基板側ソケットコネクタ１０４とは、複数のピン状の端子が形成されている。
そして、その端子は第１回路基板１０１及び第２回路基板１０２に実装されている各種の電子機器とそれぞれ電気的に結合している。
第１回路基板側ソケットコネクタ１０３に設けられている複数のピンに対応した形状の第１回路基板側ヘッダコネクタ１１２を接続部材１１１は有する。
また、第２回路基板側ソケットコネクタ１０４に設けられている複数のピンに対応した形状の第２回路基板側ヘッダコネクタ１１４を接続部材１１１は有する。
【００３３】
接続部材１１１の第１回路基板側ヘッダコネクタ１１２及び第２回路基板側ヘッダコネクタ１１４の複数の端子はフレキシブルプリント基板１１３によって、それぞれ電気的に接続されている。
【００３４】
なお、接続部材１１１の第１回路基板側ヘッダコネクタ１１２及び第２回路基板側ヘッダコネクタ１１４の形状はどのようなものであってもよい。例えば、接続部材１１１の第１回路基板側ヘッダコネクタ１１２及び第２回路基板側ヘッダコネクタ１１４の形状は、千鳥接点構造であってもよい。
また、接続部材１１１の第１回路基板側ヘッダコネクタ１１２と第２回路基板側ヘッダコネクタ１１４とを電気的に接続している接続線は、フレキシブルプリント基板１１３である必要性は必ずしもなく、各種の接続線を用いてもよい。
【００３５】
このように複数の回路基板を接続部材１１１によって接続している場合には、接続線であるフレキシブルプリント基板１１３の断線が発生し得る。
さらに、断線だけではなく、ヘッダコネクタとソケットコネクタとの間の接続不良、差し込み不足等が発生し得る。
本実施形態では、これらの断線、接続不良、差し込み不足等を簡易な方法によって検出することを目的としている。
【００３６】
図４は、図３における、接続部材１１１によって、第１回路基板１０１と第２回路基板１０２とが電気的に接続されている状況をより詳細に説明する図である。
【００３７】
図４では、本発明の実施形態において必要な部分以外は省略して記載している。
図４のように、第１回路基板側ソケットコネクタ１０３には、複数の端子が形成されている。その複数の端子のうち第５端子１０３ａと第６端子１０３ｂが本発明において重要な役割を果たす。
なお、第５端子１０３ａと第６端子１０３ｂとは、最も遠い位置関係となるように形成されている。
また、第２回路基板側ソケットコネクタ１０４には、複数の端子が形成されている。その複数の端子のうち第７端子１０４ａと第８端子１０４ｂが本発明において重要な役割を果たす。
なお、第７端子１０４ａと第８端子１０４ｂとは、最も遠い位置関係となるように形成されている。
【００３８】
第１回路基板側ヘッダコネクタ１１２には、複数の端子が形成されている。その複数の端子のうち第１端子１１２ａと第２端子１１２ｂが本発明において重要な役割を果たす。
なお、第１端子１１２ａと第２端子１１２ｂとは、最も遠い位置関係となるように形成されている。
また、第２回路基板側ヘッダコネクタ１１４には、複数の端子が形成されている。その複数の端子のうち第３端子１１４ａと第４端子１１４ｂが本発明において重要な役割を果たす。
なお、第３端子１１４ａと第４端子１１４ｂとは、最も遠い位置関係となるように形成されている。
【００３９】
第１端子１１２ａと第３端子１１４ａは、第１接続線１１３ａによって電気的に接続されている。
また、第２端子１１２ｂと第４端子１１４ｂは、第２接続線１１３ｂによって電気的に接続されている。
さらに、第７端子１０４ａと第８端子１０４ｂとは、信号線１０５によって電気的に接続されている。
【００４０】
第１端子１１２ａと第５端子１０３ａとは、第１回路基板側ヘッダコネクタ１１２が第１回路基板側ソケットコネクタ１０３に挿入された場合に、電気的に接続される。
第２端子１１２ｂと第６端子１０３ｂとは、第１回路基板側ヘッダコネクタ１１２が第１回路基板側ソケットコネクタ１０３に挿入された場合に、電気的に接続される。
第３端子１１４ａと第７端子１０４ａとは、第２回路基板側ヘッダコネクタ１１４が第２回路基板側ソケットコネクタ１０４に挿入された場合に、電気的に接続される。
第４端子１１４ｂと第８端子１０４ｂとは、第２回路基板側ヘッダコネクタ１１４が第２回路基板側ソケットコネクタ１０４に挿入された場合に、電気的に接続される。
【００４１】
図４の様に、第５端子１０３ａは、接地電圧部１２０と第３接続線１０９によって電気的に接続されている。
第６端子１０３ｂは、コネクタ接続異常検出部５９と接続されている。
このコネクタ接続異常検出部５９は、汎用入出力部（General Purpose Input / Output（ＧＰＩＯ））によって構成されてもよい。
このように、汎用入出力部によってコネクタ接続異常検出部５９が構成されていることによって、特別な検出用の電子デバイスを用いなくてもコネクタの異常が検出できる。
さらに第６端子１０３ｂは第１抵抗１０７を介して電源電圧部１０６（Ｖｃｃ）と接続している。
【００４２】
このように構成することによって、接地電圧部１２０、第３接続線１０９、第５端子１０３ａ、第１端子１１２ａ、第１接続線１１３ａ、第３端子１１４ａ、第７端子１０４ａ、信号線１０５、第８端子１０４ｂ、第４端子１１４ｂ、第２接続線１１３ｂ、第２端子１１２ｂ、第６端子１０３ｂ、第４接続線１０８及びコネクタ接続異常検出部５９が、断線、接触不良等がなく接続されていると、コネクタ接続異常検出部５９は接地電圧部１２０と接続されていることになる。
そうすると、コネクタ接続異常検出部５９が検出する電圧は接地電圧（０Ｖ）となる。
しかし、以上記載した中でどこか１か所でも断線、接続不良等が発生すると、電源電圧（Ｖｃｃ）がコネクタ接続異常検出部５９によって検出される。
以上のような方法によって、コネクタの接続不良の有無が検出される。
なお、接地電圧である０Ｖから電源電圧であるＶｃｃＶとなるプルアップの場合について説明したが、Ｖｃｃから０Ｖとなるプルダウンによって検出することも可能である。
プルアップとするかプルダウンとするかは、回路設計の都合に応じて任意に選択可能である。
【００４３】
＜第１の変形例＞
図５は、第１の変形例の説明図である。
図５は、図４で説明した配線系統に加えて、第１回路基板側ソケットコネクタ１０３と第１回路基板側ヘッダコネクタ１１２のみを経由するコネクタ接続不良検出経路を有する。
コネクタ接続不良検出経路とは、具体的には、接地電圧部１２０、第５接続線１０９ａ、第１１端子１０３ｃ、第９端子１１２ｃ、第６接続線１１３ｃ、第１０端子１１２ｄ、第１２端子１０３ｄ、第７接続線１０８ａ及びコネクタ専用コネクタ接続異常検出部５９ａ並びに電源電圧部１０６及び第２抵抗１０７ａで構成される回路である。
【００４４】
第１回路基板側ヘッダコネクタ１１２には、第１端子１１２ａ及び第２端子１１２ｂに加えて第９端子１１２ｃ及び第１０端子１１２ｄが形成されている。
第１回路基板側ソケットコネクタ１０３には、第５端子１０３ａ及び第６端子１０３ｂに加えて第１１端子１０３ｃ及び第１２端子１０３ｄが形成されている。
第１１端子１０３ｃと接地電圧部１２０とは第５接続線１０９ａによって接続されている。
また、第１回路基板側ソケットコネクタ１０３と第１回路基板側ヘッダコネクタ１１２が接続された場合に、第１１端子１０３ｃと第９端子１１２ｃとを電気的に接続する。
そして、第９端子１１２ｃと第１０端子１１２ｄとが第６接続線１１３ｃによって接続されている。
さらに、第１回路基板側ソケットコネクタ１０３と第１回路基板側ヘッダコネクタ１１２が接続された場合に、第１０端子１１２ｄと第１２端子１０３ｄとを電気的に接続する。
第１２端子１０３ｄは、コネクタ専用コネクタ接続異常検出部５９ａと第７接続線１０８ａによって電気的に接続されている。
この第７接続線１０８ａは、電源電圧部１０６と第２抵抗１０７ａを介して接続されている。
このように接続されていることによって、第１回路基板側ソケットコネクタ１０３と第１回路基板側ヘッダコネクタ１１２との間に接続不良が生じた場合には、コネクタ専用コネクタ接続異常検出部５９ａが検出する電圧が０ＶからＶｃｃＶに変化する。
これによって、コネクタの接続不良を検出することができる。
つまり、このように構成されていることによって、図４で説明した回線の断線だけでなく、第１回路基板側ソケットコネクタ１０３と第１回路基板側ヘッダコネクタ１１２が接続異常に特化して接続不良を検出することができる。
【００４５】
＜第２の変形例＞
図６は、第２の変形例の説明図である。
図６の様に、信号線１０５は、第３抵抗１１０を介して接地電圧部１２０と接続されている。
このようにしたことによって、コネクタ接続異常検出部５９は、ＶｃｃＶと０Ｖに加えて、Ｖｃｃと０Ｖとの間の電圧を検出することが可能となる。
具体的には、Ｖｃｃと０Ｖとの間の電圧とは、第１抵抗１０７と第３抵抗１１０の分圧が検出可能となる。
このように構成した作用について説明する。
まず、接地電圧部１２０、第３接続線１０９、第５端子１０３ａ、第１端子１１２ａ、第１接続線１１３ａ、第３端子１１４ａ、第７端子１０４ａ、信号線１０５、第８端子１０４ｂ、第４端子１１４ｂ、第２接続線１１３ｂ、第２端子１１２ｂ、第６端子１０３ｂ、第４接続線１０８及びコネクタ接続異常検出部５９が、断線、接触不良等がなく接続されていると、コネクタ接続異常検出部５９は接地電圧部１２０と接続されていることになる。
そうすると、コネクタ接続異常検出部５９が検出する電圧は接地電圧（０Ｖ）となる。
しかし、第８端子１０４ｂ、第４端子１１４ｂ、第２接続線１１３ｂ、第２端子１１２ｂ、第６端子１０３ｂ、第４接続線１０８及びコネクタ接続異常検出部５９との間で断線が起こると、コネクタ接続異常検出部５９が検出する電圧は電源電圧（ＶｃｃＶ）となる。
さらに、接地電圧部１２０、第３接続線１０９、第５端子１０３ａ、第１端子１１２ａ、第１接続線１１３ａ、第３端子１１４ａ、第７端子１０４ａとの間で断線、コネクタの接続不良が生ずると、コネクタ接続異常検出部５９が検出する電圧は、第１抵抗１０７と第３抵抗１１０の分圧となる。
このように、コネクタ接続異常検出部５９が検出する電圧が、０Ｖ、ＶｃｃＶ、第１抵抗１０７と第３抵抗１１０の分圧Ｖであるかによって、どの部分に断線又はコネクタの接続不良が生じているのかを検出することが可能となる。
なお、第３抵抗１１０に相当する抵抗を多くの部分に配置すれば、より詳細にどの部分で断線、コネクタの接触不良がどの部分で発生しているのかを検出することが可能になる。
【００４６】
＜第３の変形例＞
図７は、第３の変形例の説明図である。
図７の第３の変形例では、特にコネクタの接続不良を検出する構成を記載する。
図４と同じ部分は説明を省略する。
【００４７】
第１回路基板側ヘッダコネクタ１１２には、第１端子１１２ａ及び第２端子１１２ｂに加えて第９端子１１２ｃ及び第１０端子１１２ｄが形成されている。
第１回路基板側ソケットコネクタ１０３には、第５端子１０３ａ及び第６端子１０３ｂに加えて第１１端子１０３ｃ及び第１２端子１０３ｄが形成されている。
第５端子１０３ａは接地電圧部１２０と電気的に接続されている。
また、第１回路基板側ソケットコネクタ１０３と第１回路基板側ヘッダコネクタ１１２が接続された場合に、第５端子１０３ａと第１端子１１２ａと接続される。
第１端子１１２ａは第９端子１１２ｃとは、第８接続線１１３ｄによって電気的に接続されている。
また、第１回路基板側ソケットコネクタ１０３と第１回路基板側ヘッダコネクタ１１２が接続された場合に、第９端子１１２ｃと第１１端子１０３ｃと電気的に接続される。
第１１端子１０３ｃと第１２端子１０３ｄとは、第１０接続線１２１によって接続されている。
第１回路基板側ソケットコネクタ１０３と第１回路基板側ヘッダコネクタ１１２が接続された場合に、第１２端子１０３ｄは、第１０端子１１２ｄと電気的に接続される。
第１０端子１１２ｄは、第２端子１１２ｂと第９接続線１１３ｅによって電気的に接続される。
第１回路基板側ソケットコネクタ１０３と第１回路基板側ヘッダコネクタ１１２が接続された場合に、第２端子１１２ｂは、第６端子１０３ｂと電気的に接続される。
第６端子１０３ｂは、コネクタ専用コネクタ接続異常検出部５９ａと第７接続線１０８ａによって電気的に接続されている。
この第７接続線１０８ａは、電源電圧部１０６と第２抵抗１０７ａを介して接続されている。
【００４８】
このように構成したことによって、第１回路基板側ソケットコネクタ１０３と第１回路基板側ヘッダコネクタ１１２との間の接続不良のみを検出することが可能となる。
【００４９】
以上の実施形態によれば、携帯電話機１は、第１端子１１２ａ及び第２端子１１２ｂを含む第１回路基板側ヘッダコネクタと１１２、第３端子１１４ａ及び第４端子１１４ｂを含む第２回路基板側ヘッダコネクタと１１４、を有する。
また、第１回路基板側ヘッダコネクタ１１２の第１端子１１２ａと第２回路基板側ヘッダコネクタ１１４の第３端子１１４ａとを接続し、第１回路基板側ヘッダコネクタ１１２の第２端子１１２ｂと第２回路基板側ヘッダコネクタ１１４の第４端子１１４ｂとを接続するフレキシブルプリント基板１１３と、を有する。
さらに、第１回路基板１０１上に実装され、第１回路基板側ヘッダコネクタ１１２と接続される第１回路基板側ソケットコネクタ１０３と、第２回路基板１０２上に実装され、第２回路基板側ヘッダコネクタ１１４と接続される第２回路基板側ソケットコネクタ１０４と、コネクタ接続異常検出部５９と、を有する。
そして、第１回路基板側ソケットコネクタ１０３は、第１回路基板側ヘッダコネクタ１１２と接続した場合に、第１端子１１２ａと接合する第５端子１０３ａ、及び、第２端子１１２ｂと接合する第６端子１０３ｂを有する。
また、第２回路基板側ソケットコネクタ１０４は、第２回路基板側ヘッダコネクタ１１４と接続した場合に、第３端子１１４ａと接合する第７端子１０４ａ、及び、第４端子１１４ｂと接合する第８端子１０４ｂを有する。
その上、第２回路基板１０２上に実装された信号線１０５は、第７端子１０４ａと第８端子１０４ｂを接続し、第５端子１０３ａは、接地電圧部１２０に接続されており、コネクタ接続異常検出部５９は第６端子１０３ｂに接続されて、第６端子１０３ｂに加えられている電圧を検出してコネクタ接続状態を監視する。
このように構成したことによって、コネクタの接続不良の有無を検出することができる。
【００５０】
第５端子１０３ａと第６端子１０３ｂとの位置、及び、第７端子１０４ａと第８端子１０４ｂの位置は、最も遠い位置関係となるように形成されている。
このように構成したことによって、コネクタが外れかかる等の事態となった時に素早く接続不良を検出することができる。
【００５１】
コネクタ接続異常検出部５９は、汎用入出力装置（ＧＰＩＯ）によって構成されている。
このように構成したことによって、特別な検出装置を用いなくてもコネクタの接続不良を検出することが可能となる。
【００５２】
第６端子１０３ｂには、第１抵抗１０７を介して電源電圧部１０６が接続されている。
このように構成したことによって、プルアップによってコネクタの接続不良を検出することができる。
このことは、きわめて簡易な回路によって、コネクタの接続不良を検出することができるということを意味する。
【００５３】
信号線１０５は、第３抵抗１１０を介して接地電圧部１２０と接続されている。
このように構成したことによって、プルアップによってコネクタの接続不良を検出することができる。
このことは、きわめて簡易な回路によって、コネクタの接続不良を検出することができるということを意味する。
【００５４】
本発明は、以上の実施形態に限定されず、種々の態様で実施されてよい。
【００５５】
携帯電子機器は、携帯電話機１に限定されない。例えば、携帯電子機器は、ノートパソコン、ＰＤＡ、ゲーム機、カメラであってもよい。また、携帯電子機器は、折り畳み式のものに限定されない。ケースが一体的に構成されたもの（１つのみのケース）であってもよい。
【符号の説明】
【００５６】
１…携帯電話機、２…第１筐体、３…第２筐体、４…第１筐体フロントケース、５…第１筐体リアケース、６…第２筐体フロントケース、７…第２筐体リアケース、８…表示部、９…ヒンジ部、１０…入力部、１１…右側面、１２…左側面、５０…電源制御部、５１…通信部、５２…操作部、５３…音声入出力部、５６…記憶部、５７…制御部、５８…システムバス、５９…コネクタ接続異常検出部（異常検出部）、５９ａ…コネクタ専用コネクタ接続異常検出部（異常検出部）、１０１…第１回路基板（第１の回路基板）、１０２…第２回路基板（第２の回路基板）、１０３…第１回路基板側ソケットコネクタ（第１のソケットコネクタ）、１０３ａ…第５端子（第５の端子）、１０３ｂ…第６端子（第６の端子）、１０３ｃ…第１１端子、１０３ｄ…第１２端子、１０４…第２回路基板側ソケットコネクタ（第２のソケットコネクタ）、１０４ａ…第７端子（第７の端子）、１０４ｂ…第８端子（第８の端子）、１０５…信号線、１０６…電源電圧部、１０７…第１抵抗、１０７ａ…第２抵抗、１０８…第４接続線、１０８ａ…第７接続線、１０９…第３接続線、１０９ａ…第５接続線、１１０…第３抵抗、１１１…接続部材、１１２…第１回路基板側ヘッダコネクタ（第１のヘッダコネクタ）、１１２ａ…第１端子（第１の端子）、１１２ｂ…第２端子（第２の端子）、１１２ｃ…第９端子、１１２ｄ…第１０端子、１１３…フレキシブルプリント基板、１１３ａ…第１接続線、１１３ｂ…第２接続線、１１３ｃ…第６接続線、１１３ｄ…第８接続線、１１３ｅ…第９接続線、１１４…第２回路基板側ヘッダコネクタ（第２のヘッダコネクタ）、１１４ａ…第３端子（第３の端子）、１１４ｂ…第４端子（第４の端子）、１２０…接地電圧部、１２１…第１０接続線
【図１】
2011071939.tif 000003
【図２】
2011071939.tif 000004
【図３】
2011071939.tif 000005
【図４】
2011071939.tif 000006
【図５】
2011071939.tif 000007
【図６】
2011071939.tif 000008
【図７】
2011071939.tif 000009